【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マスタ発展型ノードＢ（ＭｅＮＢ）およびセカンダリｅＮＢ（ＳｅＮＢ）との通信を確立することと、
前記ＳｅＮＢとの接続の無線リンク失敗（ＲＬＦ）を検出することと、
前記検出に応答して、前記ＲＬＦのインジケーションを前記ＭｅＮＢに送信することと、
前記ＲＬＦの前記インジケーションを前記ＭｅＮＢに送信した後、前記ＭｅＮＢから、ベアラフォールバックを含むＳｅＮＢリリースに関するコマンドを受信することと、
前記コマンドを受信することに応答して、前記ＵＥと前記ＳｅＮＢ間に前に確立された１つ以上のデータフローのために前記ＭｅＮＢとのデータ通信を再開することと、
を備える、方法。
【請求項２】
前記ＲＬＦを検出することに応答して前記ＳｅＮＢとの通信を一時中断することをさらに備える、請求項１に記載の方法。
【請求項３】
前記ＲＬＦを検出することは、
前記ＳｅＮＢとのランダムアクセス失敗を検出すること、
前記ＳｅＮＢのベアラセルに関する無線リンク制御（ＲＬＣ）失敗を検出すること、
前記ＳｅＮＢに関する測定されたダウンリンク無線品質がしきい値無線リンク品質未満であることを決定すること、または、
前記ＳｅＮＢとの同期のロスを検出すること、
のうちの少なくとも１つを備える、請求項１に記載の方法。
【請求項４】
前記ＲＬＦの前記インジケーションは、セカンダリＲＬＦ（Ｓ−ＲＬＦ）インジケーションメッセージ、無線リソース制御（ＲＲＣ）メッセージ、または前記ＳｅＮＢの１つ以上のセルに関する測定レポートのうちの少なくとも１つにおいて提供される、請求項１に記載の方法。
【請求項５】
前記ＭｅＮＢに、前記ＳｅＮＢとの前記無線リンクの復元のインジケーションを送信することと、
復元の前記インジケーションを送信することに応答して、前記ＭｅＮＢからのセカンダリＲＬＦ（Ｓ−ＲＬＦ）復元コマンドを受信することと、
前記Ｓ−ＲＬＦコマンドを受信することに応答して、前記ＳｅＮＢとの接続を再び確立することと、
をさらに備える、請求項１に記載の方法。
【請求項６】
前記無線リンクの復元を検出することに応答して、ランダムアクセス手順を行うことによって前記ＳｅＮＢとの通信を再び確立することをさらに備える、請求項１に記載の方法。
【請求項７】
前記ＳｅＮＢとの前記無線リンクの復元を検出することは、前記ＳｅＮＢに関する測定されたダウンリンク無線品質が、しきい値無線リンク品質より良いことを決定することを備える、請求項１に記載の方法。
【請求項８】
ワイヤレス通信の方法であって、
ユーザ機器（ＵＥ）との第１の接続を確立することと、
セカンダリ発展型ノードＢ（ＳｅＮＢ）との第２の接続を確立するように前記ＵＥを設定することと、
前記第２の接続の無線リンク失敗（ＲＬＦ）のインジケーションを受信することと、
前記ＲＬＦの前記インジケーションを受信することに応答して、ベアラフォールバックを含むＳｅＮＢリリースに関するコマンドを送ることと、
前記ＵＥと前記ＳｅＮＢ間に前に確立された１つ以上のデータフローのために前記ＵＥとのデータ通信を再開することと、
を備える、方法。
【請求項９】
前記ＲＬＦの前記インジケーションは、前記ＵＥから、またはバックホールを介して前記ＳｅＮＢから受信され、好ましくは、セカンダリＲＬＦ（Ｓ−ＲＬＦ）インジケーションメッセージ、または前記ＳｅＮＢに関する測定レポートのうちの少なくとも１つを備える、請求項８に記載の方法。
【請求項１０】
前記第２の接続を確立するように前記ＵＥを設定することは、前記第２の接続の前記ＲＬＦに関する１つ以上の設定パラメータを送信することを備える、請求項８に記載の方法。
【請求項１１】
前記第２の接続の復元のインジケーションを受信することと、
前記復元の前記インジケーションを受信することに応答して、セカンダリＲＬＦ（Ｓ−ＲＬＦ）復元コマンドを前記ＵＥに送信することと、
をさらに備える、請求項８に記載の方法。
【請求項１２】
前記Ｓ−ＲＬＦ復元コマンドは、前記ＳｅＮＢとの通信を再び確立するための命令を備える、請求項１１に記載の方法。
【請求項１３】
前記ベアラフォールバックは、ＰＤＣＰ（パケットデータコンバージェンスプロトコル）の再設定を行うことなしに、前記ＳｅＮＢを介して前に確立されたベアラのためだけにデータ通信を再開することを備える、請求項８に記載の方法。
【請求項１４】
ワイヤレス通信のための装置であって、
マスタ発展型ノードＢ（ＭｅＮＢ）およびセカンダリｅＮＢ（ＳｅＮＢ）との通信を確立するための手段と、
前記ＳｅＮＢとの接続の無線リンク失敗（ＲＬＦ）を検出するための手段と、
前記検出に応答して、前記ＲＬＦのインジケーションを前記ＭｅＮＢに送信するための手段と、
前記ＲＬＦの前記インジケーションを前記ＭｅＮＢに送信した後、前記ＭｅＮＢから、ベアラフォールバックを含むＳｅＮＢリリースに関するコマンドを受信するための手段と、
前記コマンドを受信することに応答して、前記ＵＥと前記ＳｅＮＢ間に前に確立された１つ以上のデータフローのために前記ＭｅＮＢとのデータ通信を再開するための手段と、
を備える、装置。
【請求項１５】
ワイヤレス通信のための装置であって、
ユーザ機器（ＵＥ）との第１の接続を確立するための手段と、
セカンダリ発展型ノードＢ（ＳｅＮＢ）との第２の接続を確立するように前記ＵＥを設定するための手段と、
前記第２の接続の無線リンク失敗（ＲＬＦ）のインジケーションを受信するための手段と、
前記ＲＬＦの前記インジケーションを受信することに応答して、ベアラフォールバックを含むＳｅＮＢリリースに関するコマンドを送るための手段と、
前記ＵＥと前記ＳｅＮＢ間に前に確立された１つ以上のデータフローのために前記ＵＥとのデータ通信を再開するための手段と、
を備える、装置。
【手続補正２】
【補正対象書類名】明細書
【補正対象項目名】００８１
【補正方法】変更
【補正の内容】
【００８１】
[0096]  先の説明は、いかなる当業者も、本明細書に説明された様々な態様を実現することを可能にするために提供されている。これらの態様への様々な修正は、当業者に容易に明らかとなり、本明細書に定義された一般的な原理は、他の態様に適用され得る。したがって、特許請求の範囲は、本明細書に示される態様に限定されるように意図されるものではなく、請求項の文言と一致するすべての範囲を与えられるべきであり、ここにおいて、単数形での要素への言及は、そのように明確に記載されていない限り、「１つおよび１つのみ」を意味するように意図されず、むしろ「１つ以上の」を意味するように意図される。そうでないと具体的に記載されない限り、「何らかの／いくつかの」という用語は、１つ以上を指す。当業者に既知の、または後に知られることになる、本開示全体にわたって説明された様々な態様の要素と構造的および機能的に同等なものはすべて、参照によって本明細書に明確に組み込まれ、特許請求の範囲に包含されるよう意図される。さらに、本明細書で開示されたものが、特許請求の範囲の中に明示的に記載されているか否かに関わらず、公に捧げられることを意図していない。要素が、「〜するための手段」という表現を使用して明確に記載されていない限り、あるいは方法の請求項の場合、要素が、「〜するためのステップ」という表現を使用して記載されていない限り、請求項の何れの要素も３５Ｕ．Ｓ．Ｃ．§１１２、第６パラグラフの規定の下に解釈されるべきではない。
以下に、本願出願の当初の特許請求の範囲に記載された発明を付記する。
［Ｃ１］
ワイヤレス通信の方法であって、
マスタ発展型ノードＢ（ＭｅＮＢ）およびセカンダリｅＮＢ（ＳｅＮＢ）との通信を確立することと、
前記ＳｅＮＢとの接続の無線リンク失敗（ＲＬＦ）を検出することと、
前記検出に応答して、前記ＲＬＦのインジケーションを前記ＭｅＮＢに送信することと、
を備える、方法。
［Ｃ２］
前記ＲＬＦを検出することに応答して前記ＳｅＮＢとの通信を一時中断することをさらに備える、Ｃ１に記載の方法。
［Ｃ３］
前記ＲＬＦを検出することは、
前記ＳｅＮＢとのランダムアクセス失敗を検出すること、
前記ＳｅＮＢのベアラセルに関する無線リンク制御（ＲＬＣ）失敗を検出すること、
前記ＳｅＮＢに関する測定されたダウンリンク無線品質がしきい値無線リンク品質未満であることを決定すること、
前記ＳｅＮＢへのハンドオーバの失敗、または、
前記ＳｅＮＢとの同期のロスを検出すること、
のうちの少なくとも１つを備える、Ｃ１に記載の方法。
［Ｃ４］
前記ＲＬＦを検出することは、前記ＭｅＮＢとの接続においてＲＬＦを検出することを備える、Ｃ１に記載の方法。
［Ｃ５］
前記ＲＬＦの前記インジケーションは、セカンダリＲＬＦ（Ｓ−ＲＬＦ）インジケーションメッセージ、または前記ＳｅＮＢの１つ以上のセルに関する測定レポートのうちの少なくとも１つにおいて提供される、Ｃ１に記載の方法。
［Ｃ６］
前記Ｓ−ＲＬＦインジケーションメッセージは、前記ＳｅＮＢの１つ以上のセルに関する測定レポートを包含する、Ｃ１に記載の方法。
［Ｃ７］
前記インジケーションは、無線リソース制御（ＲＲＣ）メッセージを介して送信される、Ｃ１に記載の方法。
［Ｃ８］
前記ＲＬＦの前記インジケーションを前記ＭｅＮＢに送信した後、前記ＭｅＮＢから前記ＳｅＮＢに関する再設定コマンドを受信することをさらに備える、Ｃ１に記載の方法。
［Ｃ９］
前記再設定コマンドは、ＳｅＮＢリリース、ＳｅＮＢ追加、ＳｅＮＢ修正またはデータフォールバックのうちの少なくとも１つに関するコマンドを備える、Ｃ８に記載の方法。
［Ｃ１０］
前記データフォールバックは、前記ＳｅＮＢと前に確立された１つ以上のデータフローのために前記ＭｅＮＢとのデータ通信を再開することを備える、Ｃ９に記載の方法。
［Ｃ１１］
前記ＲＬＦを検出した後、前記ＳｅＮＢとの無線リンク品質を監視し続けることと、
前記ＳｅＮＢとの前記無線リンクの復元を検出することと、
をさらに備える、Ｃ１に記載の方法。
［Ｃ１２］
前記ＭｅＮＢに前記復元のインジケーションを送信することと、
前記復元の前記インジケーションを送信することに応答して、前記ＭｅＮＢからのセカンダリＲＬＦ（Ｓ−ＲＬＦ）復元コマンドを受信することと、
前記Ｓ−ＲＬＦコマンドを受信することに応答して、前記ＳｅＮＢとの接続を再び確立することと、
をさらに備える、Ｃ１１に記載の方法。
［Ｃ１３］
前記無線リンクの前記復元を前記検出することに応答して、ランダムアクセス手順を行うことによって前記ＳｅＮＢとの通信を再び確立することをさらに備える、Ｃ１１に記載の方法。
［Ｃ１４］
前記ＳｅＮＢとの前記無線リンクの復元を検出することは、前記ＳｅＮＢに関する測定されたダウンリンク無線品質が、しきい値無線リンク品質より良いことを決定することを備える、Ｃ１１に記載の方法。
［Ｃ１５］
ワイヤレス通信の方法であって、
ユーザ機器（ＵＥ）との第１の接続を確立することと、
セカンダリ発展型ノードＢ（ＳｅＮＢ）との第２の接続を確立するように前記ＵＥを設定することと、
前記第２の接続の無線リンク失敗（ＲＬＦ）のインジケーションを受信することと、
前記ＲＬＦの前記インジケーションを受信することに応答して、前記ＲＬＦを管理するための少なくとも１つの動作を取ることと、
を備える、方法。
［Ｃ１６］
前記ＲＬＦの前記インジケーションは、前記ＵＥから受信される、Ｃ１５に記載の方法。
［Ｃ１７］
前記少なくとも１つの動作は、再設定コマンドを前記ＵＥに送信することを備える、Ｃ１６に記載の方法。
［Ｃ１８］
前記再設定コマンドは、ＳｅＮＢリリース、ＳｅＮＢ追加、ＳｅＮＢ修正、またはデータフォールバックのうちの少なくとも１つに関するコマンドを備える、Ｃ１７に記載の方法。
［Ｃ１９］
前記データフォールバックは、前記ＵＥと前記ＳｅＮＢ間に前に確立された１つ以上のデータフローのために前記ＵＥとのデータ通信を再開することを備える、Ｃ１８に記載の方法。
［Ｃ２０］
前記第２の接続を確立するように前記ＵＥを設定することは、前記第２の接続の前記ＲＬＦに関する１つ以上の設定パラメータを送信することを備える、Ｃ１５に記載の方法。
［Ｃ２１］
前記ＲＬＦの前記インジケーションが、セカンダリＲＬＦ（Ｓ−ＲＬＦ）インジケーションメッセージ、または前記ＳｅＮＢに関する測定レポートのうちの少なくとも１つを備える、Ｃ１５に記載の方法。
［Ｃ２２］
前記第２の接続の復元のインジケーションを受信することと、
前記復元の前記インジケーションを受信することに応答して、セカンダリＲＬＦ（Ｓ−ＲＬＦ）復元コマンドを前記ＵＥに送信することと、
をさらに備える、Ｃ１５に記載の方法。
［Ｃ２３］
前記Ｓ−ＲＬＦ復元コマンドは、前記ＳｅＮＢとの通信を再び確立するための命令を備える、Ｃ２２に記載の方法。
［Ｃ２４］
前記ＲＬＦの前記インジケーションは、バックホールを介して前記ＳｅＮＢから受信される、Ｃ１５に記載の方法。
［Ｃ２５］
前記少なくとも１つの動作は、ＳｅＮＢリリース、ＳｅＮＢ追加、ＳｅＮＢ修正、または前記バックホールを介した前記ＳｅＮＢとのデータフォールバックのうちの少なくとも１つを行うことを備える、Ｃ２４に記載の方法。
［Ｃ２６］
前記データフォールバックは、ＰＤＣＰ（パケットデータコンバージェンスプロトコル）の再設定を行うことなしに、前記ＳｅＮＢを介して前に確立されたベアラのためだけにデータ通信を再開することを備える、Ｃ２５に記載の方法。
［Ｃ２７］
前記少なくとも１つの動作は、ＰＤＣＰ（パケットデータコンバージェンスプロトコル）ステータスレポートに基づいてデータフォールバックを行うことを備える、Ｃ２４に記載の方法。
［Ｃ２８］
ワイヤレス通信の方法であって、
マスタ発展型ノードＢ（ＭｅＮＢ）およびユーザ機器（ＵＥ）との通信を確立することと、
前記ＵＥとの接続の無線リンク失敗（ＲＬＦ）を検出することと、
前記検出に応答して、バックホール接続を介して前記ＲＬＦのインジケーションを前記ＭｅＮＢに送信することと、
を備える、方法。
［Ｃ２９］
前記ＲＬＦを前記検出することは、
ＵＥアップリンク送信を監視することと、
前記アップリンク送信の受信エネルギーがしきい値を下回るとき、前記ＲＬＦを検出することと、
を備える、Ｃ２８に記載の方法。
［Ｃ３０］
ワイヤレス通信のための装置であって、
マスタ発展型ノードＢ（ＭｅＮＢ）およびセカンダリｅＮＢ（ＳｅＮＢ）との通信を確立するための手段と、
前記ＳｅＮＢとの接続の無線リンク失敗（ＲＬＦ）を検出するための手段と、
前記検出に応答して、前記ＲＬＦのインジケーションを前記ＭｅＮＢに送信するための手段と、
を備える、装置。